(57)【要約】【課題】  使用者の創意により、一つの装身具で身体の様々な部分の装飾に使用することができる装身具を提供する。【解決手段】  本発明の装身具（１）は、手指に嵌めることができる大きさに形成された第１環状部材（２）と、手指に嵌めることができる大きさに形成された第２環状部材（４）と、第１環状部材と第２環状部材を連結する線状部材（６）と、を有することを特徴としている。このように構成された本発明においては、第１環状部材を手指に嵌め、線状部材を手首に巻き付け、第２環状部材を他の手指に嵌める、或いは、第１環状部材を手指に嵌め、線状部材を手指に巻き付け、第２環状部材を他の手指に嵌める、或いは、線状部材を首にかけ、線状部材を胸元で結んで両端の第１環状部材、第２環状部材を垂らす等々、１つの装身具でブレスレット、指輪、ペンダント、ネックレス等種々の装身具のような装飾を行うことができる。【選択図】      図１
2005131132.tif 000002
【特許請求の範囲】
【請求項１】
手指に嵌めることができる大きさに形成された第１環状部材と、
手指に嵌めることができる大きさに形成された第２環状部材と、
前記第１環状部材と前記第２環状部材を連結する線状部材と、を有することを特徴とする装身具。
【請求項２】
前記第１環状部材と前記第２環状部材の直径が異なる請求項１記載の装身具。
【請求項３】
前記第１環状部材及び／又は前記第２環状部材が、その直径を変化させることができるように構成されている請求項１記載の装身具。
【請求項４】
前記第１環状部材及び／又は前記第２環状部材が、弾性変形可能なＣ字形部材と、この前記Ｃ字形部材の両端部を連結し、その連結位置によって前記第１環状部材及び／又は前記第２環状部材の直径を調節する連結部材と、を有する請求項１記載の装身具。
【請求項５】
前記Ｃ字形部材は、その両端部に雌ネジ穴が形成され、前記連結部材には、前記Ｃ字形部材の両端部を受け入れる中空部と、ネジを貫通させるための長孔が形成され、ネジを前記長孔を通して前記Ｃ字形部材の前記雌ネジ穴に螺合させ、前記長孔の中でネジを締付ける位置を変化させることにより前記Ｃ字形部材と前記連結部材の連結位置を調節可能にした請求項４記載の装身具。
【請求項６】
前記線状部材の長さが、２０乃至８０ｃｍである請求項１乃至４の何れか１項に記載の装身具。
【請求項７】
前記第１環状部材と前記線状部材の連結位置及び／又は前記第２環状部材と前記線状部材の連結位置を変化させることにより前記第１環状部材と前記第２環状部材との間の前記線状部材の長さを変化させることができる請求項１乃至６の何れか１項に記載の装身具。
【発明の詳細な説明】
【技術分野】
【０００１】
本発明は、装身具に関し、特に、身体の種々の部分の装飾に使用することができる装身具に関する。
【背景技術】
【０００２】
身体の様々な部分を装飾する装身具として、指輪、ブレスレット、ネックレス、ペンダント等が古くから使用されている。例えば、特許第２７５９７８６号明細書にはブレスレット等の装身具が記載されている。
【０００３】
【特許文献１】特許第２７５９７８６号明細書
【発明の開示】
【発明が解決しようとする課題】
【０００４】
しかしながら、従来の装身具の多くは、夫々、装飾する身体の部分が決まっており、指輪は指を、ブレスレットは手首を、ネックレスは首を、ペンダントは首及び胸元を装飾するためにのみ使用することができ、通常一つの装身具には一通りの使用方法しか存在していない。これでは、一つの装身具で身体の装飾を楽しむ範囲が狭く、一つの装身具を十分に利用することができないと言う問題がある。
従って、本発明は、使用者の創意により、一つの装身具で身体の様々な部分の装飾に使用することができる装身具を提供することを目的としている。
【課題を解決するための手段】
【０００５】
この目的を達成するために、本発明の装身具は、手指に嵌めることができる大きさに形成された第１環状部材と、手指に嵌めることができる大きさに形成された第２環状部材と、第１環状部材と第２環状部材を連結する線状部材と、を有することを特徴としている。
このように構成された本発明においては、一つの装身具で身体の様々な部分の装飾を楽しむことができる。
【０００６】
本発明において、好ましくは、第１環状部材と第２環状部材の直径は異なるように構成されている。
このように構成された本発明においては、第１環状部材を或る手指に嵌め、第２環状部材を他の手指に嵌めた場合でも、第１環状部材及び第２環状部材を両方の手指に適合するように形成することができる。
【０００７】
また、本発明において、好ましくは、第１環状部材及び／又は第２環状部材は、その直径を変化させることができるように構成されている。
このように構成された本発明においては、第１環状部材及び／又は第２環状部材の直径を変化させることにより、第１環状部材及び／又は第２環状部材を使用者の任意の手指に適合させることができる。
【０００８】
さらに、本発明において、好ましくは、第１環状部材及び／又は第２環状部材は、弾性変形可能なＣ字形部材と、このＣ字形部材の両端部を連結し、その連結位置によって第１環状部材及び／又は第２環状部材の直径を調節する連結部材と、を有する。
【０００９】
このように構成された本発明においては、連結部材によって、Ｃ字形部材の直径が大きくなるように弾性変形させた位置でＣ字形部材の両端部を連結することにより第１環状部材及び／又は第２環状部材の直径を大きくし、又は、Ｃ字形部材の直径が小さくなるように弾性変形させた位置でＣ字形部材の両端部を連結することにより第１環状部材及び／又は第２環状部材の直径を小さくすることができる。
これにより、第１環状部材及び／又は第２環状部材を、使用者の種々の手指に適合させることができる。
【００１０】
また、本発明において、好ましくは、Ｃ字形部材は、その両端部に雌ネジ穴が形成され、連結部材には、Ｃ字形部材の両端部を受け入れる中空部と、ネジを貫通させるための長孔が形成され、ネジを長孔を通してＣ字形部材の雌ネジ穴に螺合させ、長孔の中でネジを締付ける位置を変化させることによりＣ字形部材と連結部材の連結位置を調節可能にする。
このように構成された本発明においては、Ｃ字形部材を所望の直径に弾性変形させた状態でネジを締付けるだけで、簡単に第１環状部材及び／又は第２環状部材の直径を調整することができる。
【００１１】
さらに、本発明において、好ましくは、線状部材の長さは、２０乃至８０ｃｍである。
このように構成された本発明においては、第１環状部材を手指に嵌め、線状部材を手首に巻き付け、第２環状部材を他の手指に嵌める、或いは、第１環状部材を手指に嵌め、線状部材を手指に巻き付け、第２環状部材を他の手指に嵌める、或いは、線状部材を首にかけ、線状部材を胸元で結んで両端の第１環状部材、第２環状部材を垂らす等々、１つの装身具でブレスレット、指輪、ペンダント、ネックレス等種々の装身具のような装飾を行うことができる。
【００１２】
また、本発明において、好ましくは、第１環状部材と線状部材の連結位置及び／又は第２環状部材と線状部材の連結位置を変化させることにより第１環状部材と第２環状部材との間の線状部材の長さを変化させることができる。
このように構成された本発明においては、装身具の使用方法に合わせて、第１環状部材と第２環状部材との間の線状部材の長さを変化させることができる。
【発明の効果】
【００１３】
本発明の装身具によれば、使用者の創意により、一つの装身具で身体の様々な部分を装飾することができる。
【発明を実施するための最良の形態】
【００１４】
次に、添付図面を参照して、本発明の実施形態の装身具を説明する。
まず、図１乃至５を参照して、本発明の第１実施形態の装身具を説明する。図１に示すように、本発明の第１実施形態の装身具１は、手指に嵌めるようになった第１環状部材２と、手指に嵌めるようになった第２環状部材４と、第１環状部材２と第２環状部材４を連結する線状部材であるチェーン６と、を有する。本実施形態においては、チェーン６の長さは、４０ｃｍである。また、好ましくは、チェーン６の長さを２０乃至８０ｃｍとする。
【００１５】
図２（ａ）は第１環状部材２の正面図、（ｂ）は左側面図、（ｃ）平面図であり、図２（ｄ）は図２（ａ）のｄ−ｄ断面図である。図２に示すように、第１環状部材２は、概ねＣ字形形状のＣ字形部材８と、このＣ字形部材８の両端を連結する連結部材１０と、を有する。Ｃ字形部材８の両端には、Ｃ字形を含む平面と直交する方向に雌ネジ穴１２が両側から夫々形成されている。連結部材１０は、全体として、Ｃ字形部材８とほぼ同一の曲率半径を有する円弧状の部材である。また、連結部材１０には、Ｃ字形部材８の両端部を受け入れるための長手方向に延びる中空部１０ａが形成されている。この中空部１０ａの両側側面には、ネジを通すための円弧状に延びる長孔１０ｂが夫々形成されている。さらに、連結部材１０の上面は、筒状部材１４の中に通されている。即ち、筒状部材１４は、両側側面の長孔１０ｂを通って連結部材１０の上面を取り囲むように延びている。さらに、筒状部材１４には、チェーン６を取付けるための取付リング１６が通されている。本実施形態においては、チェーン６は１８金、Ｃ字形部材８はプラチナ、連結部材１０は、１８金で形成されている。好ましくは、Ｃ字形部材８、及び連結部材１０は、弾性変形可能な、金、銀、プラチナ、及びそれらの合金等の貴金属材料で形成する。
【００１６】
Ｃ字形部材８と連結部材１０を組立てる際には、Ｃ字形部材８の両端部を、連結部材１０の中空部１０ａに夫々挿入して、Ｃ字形部材８の両端を連結部材１０によって連結する。Ｃ字形部材８の両端部が中空部１０ｃに挿入されると、Ｃ字形部材８の両端の両側面に形成された雌ネジ穴１２と、連結部材１０の側面に形成された長孔１０ｂの位置が整合する。この状態で、４本の雄ネジ１８を、長孔１０ｂを通して各雌ネジ穴１２に螺合させることによって、連結部材１０はＣ字形部材８に取付けられる。第１環状部材２の直径は、Ｃ字形部材８を弾性変形させることによって、その直径を所望の大きさに拡張又は縮小させることによって変化させることができる。雄ネジ１８を締付けると、連結部材１０はＣ字形部材８と雄ネジ１８の頭との間に挟み付けられ、Ｃ字形部材８が連結部材１０に固定される。第１環状部材２の直径を調整するときは、各雄ネジ１８を緩め、Ｃ字形部材８を弾性変形させて各雄ネジ１８を長孔１０ｂの中で移動させ、適当な位置で各雄ネジ１８を締付ける。従って、第１環状部材２は、各雄ネジ１８が、長孔１０ｂの両端の位置にあるとき最も直径が大きくなり、長孔１０ｂの中で最も接近したとき最も直径が小さくなる。本実施形態においては、第１環状部材２の直径は、１５乃至１９ｍｍの範囲で調整することができる。好ましくは、第１環状部材２の直径を１０乃至２５ｍｍの範囲で調整できるように構成する。
【００１７】
第２環状部材４も、環の直径が第１環状部材２よりも小さい点及び材質が異なる点を除き第１環状部材２と同様に構成されている。本実施形態においては、第２環状部材４のＣ字形部材は１８金、連結部材は、プラチナで形成されている。また、第２環状部材４の直径は、１４乃至１８ｍｍの範囲で調整することができる。好ましくは、第２環状部材４の直径を１０乃至２５ｍｍの範囲で調整できるように構成する。
【００１８】
次に、図３乃至５を参照して、本発明の第１実施形態の装身具１の使用方法を説明する。図３（ａ）は、本実施形態の装身具１の使用方法の一例を示す。この使用方法では、まず、第１環状部材２を中指の付け根に嵌め、チェーン６を指の先端に向って中指に数回巻き付け、最後に第２環状部材４を中指に嵌める。第１環状部材２及び第２環状部材４の直径は、指の太さに合わせて適宜調節する。装身具１をこのように装着することによって、装身具１を中指を飾る指輪のように使用することができる。また、装身具１を同様の仕方で他の指に嵌めることもできる。
【００１９】
或いは、図３（ｂ）に示すように、第１環状部材２を中指の付け根に嵌め、チェーン６を指の先端に向って中指に数回巻き付け、最後に第２環状部材４を薬指に嵌めても良い。さらに、図３（ｃ）に示すように、第１環状部材２を人指し指に嵌め、チェーン６を中指に数回巻き付け、最後に第２環状部材４を薬指に嵌めても良い。これらの使用方法において、第１環状部材２及び第２環状部材４を嵌める指、チェーン６を巻き付ける指は任意に変更することができる。装身具１をこのように装着することによって、装身具１を複数の指を同時に飾る装飾具として使用することができる。
【００２０】
図４（ａ）は、本実施形態の装身具１の使用方法の別の一例を示す。この使用方法では、まず、第１環状部材２を人指し指に嵌め、チェーン６を手の甲を這わせて手首の小指側から手首に数回巻き付け、手首の親指側から再び手の甲を這わせ、第２環状部材４を小指に嵌める。装身具１をこのように装着することによって、装身具１を、手首を飾るブレスレットのように使用することができる。或いは、図４（ｂ）に示すように、第１環状部材２及び第２環状部材４を中指に嵌めても良い。これらの使用方法において、第１環状部材２及び第２環状部材４を嵌める指は、任意に変更することができる。
【００２１】
また、図４（ｃ）は、本実施形態の装身具１の使用方法の更に別の一例を示す。図４（ｃ）に示すように、この使用方法では、第１環状部材２を人指し指に嵌め、チェーン６を手首に巻かずに、第２環状部材４を小指に嵌めている。装身具１をこのように装着することによって、装身具１を指及び手の甲を飾る装飾具として使用することができる。
【００２２】
また、図５は、本実施形態の装身具１の使用方法のまた別の一例を示す。図５（ａ）に示すように、この使用方法では、チェーン６を首に掛け、チェーン６を胸元で一回結んでいる。装身具１をこのように装着することによって、装身具１を、首及び胸元を飾るネックレス或いはペンダントのように使用することができる。或いは、図５（ｂ）に示すように、チェーン６を首に掛け、第２環状部材４の直径を小さく、第１環状部材２の直径を大きく調節して、胸元で第２環状部材４を第１環状部材２に通しても良い。
【００２３】
本発明の第１実施形態の装身具によれば、使用者の創意により、それを指輪、ブレスレット、ペンダント、ネックレスのように身体に装着することができ、１つの装身具で様々な装着の仕方を楽しむことができる。
【００２４】
また、上述した第１実施形態では、第１環状部材、第２環状部材ともその直径を変化させることができるように構成されていたが、直径を調節するための機構は、どちらか一方の環状部材のみに設けても良い。或いは、第１環状部材、第２環状部材とも、直径の調節ができないように構成しても良い。この場合、第１環状部材、第２環状部材の直径が異なるように構成しても良い。また、上述した第１実施形態では、第１環状部材、第２環状部材は大きさが異なるが、第１環状部材と第２環状部材を同一の構成にすることもできる。
【００２５】
次に、図６乃至９を参照して、本発明の第２実施形態の装身具を説明する。本発明の第２実施形態の装身具は、第１環状部材と第２環状部材との間のチェーンの長さを変化させることができる点が、本発明の第１実施形態とは異なる。従って、ここでは、本発明の第２実施形態の第１実施形態とは異なる点のみを説明する。
【００２６】
図６に示すように、本発明の第２実施形態の装身具２０は、第１環状部材２２と、第２環状部材２４と、それらを連結する線状部材であるチェーン２６と、を有する。図７（ａ）は第１環状部材２２の正面図、（ｂ）は左側面図、（ｃ）は平面図である。また、図８は第１環状部材２２の底面図である。
【００２７】
図８に示すように、第１環状部材２２には、環の円周方向にほぼ直線状に延びるボア２２ａが形成され、このボアの中には、シリコン製のチューブ２７が取付けられている。チェーン２６は、このチューブ２７の中に通されている。シリコン製のチューブ２７の内径は、チェーン２６の太さよりも僅かに小さく、チューブ２７は変形することによってチェーン２６を中に受け入れている。この構成により、チェーン２６とチューブ２７の間には適度な摩擦力が作用するので、第１環状部材２２をチェーン２６上の任意の位置に移動させ、また、その位置に第１環状部材２２を保持することができる。これにより、第１環状部材２２と第２環状部材２４の間隔を変化させることができる。
【００２８】
また、チェーン２６の第１環状部材２２側の先端には、留め部材２８が固定され、チェーン２６が第１環状部材２２のボア２２ａから抜けないようにしている。本実施形態においては、留め部材２８はサファイアで構成されている。好ましくは、留め部材２８は、装飾性の高い貴金属や、ブリオレート、パール、サンゴ、ダイヤモンド等の宝石、貴石を使用して構成する。また、チェーン２６の第２環状部材２４側の先端は、第２環状部材２４に直接取付けられている。
【００２９】
図９（ａ）は第２環状部材２４の正面図、（ｂ）は左側面図、（ｃ）は平面図であり、図９（ｄ）は図９（ａ）のｄ−ｄ断面図である。図９に示すように、第２環状部材２４には第１環状部材２２と類似の装飾が施されているが、チェーン２６に固定されており、第２環状部材２４のチェーン２６に対する取付位置を変更することはできない。
【００３０】
本実施形態の装身具の使用方法は、第１環状部材２２及び第２環状部材２４の直径を調節することができない点を除き、第１実施形態の装身具と同様である。ただし、本実施形態の装身具２０では、第１実施形態において図３乃至５で説明したように装着する際、第１環状部材２２と第２環状部材２４の間隔を、適宜変更することができる。
【００３１】
本発明の第２実施形態の装身具では、第１環状部材２２のチェーン２６に対する取付位置を移動可能にしたので、装着の仕方に合わせて第１環状部材２２と第２環状部材２４の間隔を調整することができる。
本発明の第２実施形態の装身具においては、第１環状部材のみをチェーンに対して移動可能としたが、第１環状部材及び第２環状部材をチェーンに対して移動可能に構成しても良い。また、本実施形態においては、第１環状部材及び第２環状部材は、その直径を変化させることができないが、第１環状部材及び／又は第２環状部材の直径を変化させることができるように構成することもできる。
【００３２】
次に、図１０を参照して、本発明の第３実施形態の装身具を説明する。本発明の第３実施形態の装身具は、第１環状部材と第２環状部材とを嵌め合わせて結合することができる点が、本発明の第１実施形態とは異なる。従って、ここでは、本発明の第３実施形態の第１実施形態とは異なる点のみを説明する。
図１０に示すように、本発明の第３実施形態の装身具３０は、第１環状部材３２と、第２環状部材３４と、それらを連結する線状部材であるチェーン３６と、を有する。
【００３３】
図１０（ａ）に示すように、第１環状部材３２は、螺旋状に２回転巻かれたコイルバネ状の形状を有する。また、第２環状部材３４は、螺旋状に１回転巻かれたコイルバネ状の形状を有し、その両端が互いに連結されている。第１環状部材３２の螺旋の隙間は、第２環状部材３４を形成している部材の太さよりも僅かに小さく形成されているので、図１０（ｂ）に示すように、第１環状部材３２の螺旋の隙間に第２環状部材３４を押し込むことによって、第１環状部材３２と第２環状部材３４を結合させることができる。また、第１環状部材３２は、第１環状部材３２を構成する部材を変形させることによって、直径を変化させることができる。
【００３４】
本発明の第３実施形態の装身具３０は、第１実施形態において説明した装着方法の他に、図１１に示すように、チェーン３６を首にかけ、胸元で第１環状部材３２と第２環状部材３４を結合させてペンダントのように使用することができる。
【００３５】
以上、本発明の好ましい実施形態を説明したが、上述した実施形態に種々の変更を加えることができる。特に、上述した実施形態の装身具における装飾的なデザインは例示であり、本発明の装身具に任意のデザインを施すことができる。また、上述した実施形態では、第１環状部材と第２環状部材をチェーンで連結していたが、チェーンに換えて紐、リボン、テープ等、任意の線状の部材を使用することができる。
【図面の簡単な説明】
【００３６】
【図１】本発明の第１実施形態の装身具の全体を示す図である。
【図２】本発明の第１実施形態の装身具の第１環状部材の（ａ）正面図、（ｂ）左側面図、（ｃ）平面図、（ｄ）断面図である。
【図３】本発明の第１実施形態の装身具の使用方法の一例を示す図である。
【図４】本発明の第１実施形態の装身具の使用方法の一例を示す図である。
【図５】本発明の第１実施形態の装身具の使用方法の一例を示す図である。
【図６】本発明の第２実施形態の装身具の全体を示す図である。
【図７】本発明の第２実施形態の装身具の第１環状部材の（ａ）正面図、（ｂ）左側面図、（ｃ）平面図である。
【図８】本発明の第２実施形態の装身具の第１環状部材の底面図である。
【図９】本発明の第２実施形態の装身具の第２環状部材の（ａ）正面図、（ｂ）左側面図、（ｃ）平面図、（ｄ）断面図である。
【図１０】本発明の第３実施形態の装身具の（ａ）全体を示す図、（ｂ）第１環状部材と第２環状部材を結合させた様子を示す図である。
【図１１】本発明の第３実施形態の装身具の使用方法の一例を示す図である。
【符号の説明】
【００３７】
１      本発明の第１実施形態の装身具
２      第１環状部材
４      第２環状部材
６      チェーン
８      Ｃ字形部材
１０    連結部材
１０ａ  中空部
１０ｂ  長孔
１２    雌ネジ穴
１４    筒状部材
１６    取付リング
１８    雄ネジ
２０    本発明の第２実施形態の装身具
２２    第１環状部材
２４    第２環状部材
２６    チェーン
２７    チューブ
２８    留め部材
３０    本発明の第３実施形態の装身具
３２    第１環状部材
３４    第２環状部材
３６    チェーン
【図１】
2005131132.tif 000003
【図２】
2005131132.tif 000004
【図３】
2005131132.tif 000005
【図４】
2005131132.tif 000006
【図５】
2005131132.tif 000007
【図６】
2005131132.tif 000008
【図７】
2005131132.tif 000009
【図８】
2005131132.tif 000010
【図９】
2005131132.tif 000011
【図１０】
2005131132.tif 000012
【図１１】
2005131132.tif 000013